【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
光バイオロジカルディスクアナライザであって、
光バイオドライブと、
前記光バイオロジカルディスクアナライザ内に配置され、前記光バイオドライブを制御するコントローラと、
該コントローラに内蔵したフィールドプログラマブルゲートアレイとを備えた光バイオロジカルディスクアナライザ。
【請求項２】
前記コントローラは検出器をさらに備えた請求項１に記載の光バイオロジカルディスクアナライザ。
【請求項３】
前記コントローラは、
前置増幅器コンポーネントと、
チャネルセレクタと、
自動利得制御部と、
レベル検出器とをさらに備え、前記前置増幅器コンポーネントと、前記チャネルセレクタと、前記自動利得制御部と、前記レベル検出器とは、前記フィールドプログラマブルゲートアレイによって制御される請求項２に記載の光バイオロジカルディスクアナライザ。
【請求項４】
前記前置増幅器コンポーネントは、前記検出器からのデータ信号を増幅する請求項３に記載の光バイオロジカルディスクアナライザ。
【請求項５】
前記チャネルセレクタは、前記前置増幅器コンポーネントからデータ信号を受け取り、該データ信号中の成分に対する複数の加減算操作に基づいて合成データ信号を生成する請求項４に記載の光バイオロジカルディスクアナライザ。
【請求項６】
前記自動利得制御部は、前記チャネルセレクタからの前記合成データ信号を該合成データ信号の強度に基づいて増幅し、それによって、様々な光ディスク及び光ドライブからの
データ信号を一致させることができる請求項５に記載の光バイオロジカルディスクアナライザ。
【請求項７】
前記レベル検出器は、複数のしきい値設定を用いて前記合成信号が該しきい値設定を超える時を検出し、複数のパルス列を生成する請求項６に記載の光バイオロジカルディスクアナライザ。
【請求項８】
前記レベル検出器における前記しきい値設定は、再構成されることができる請求項７に記載の光バイオロジカルディスクアナライザ。
【請求項９】
前記フィールドプログラマブルゲートアレイは、
細胞計数ロジックコンポーネントと、
インタフェースおよび制御ロジックと、
前記光バイオドライブを制御するＩＤＥコントローラロジックとをさらに備えた請求項８に記載の光バイオロジカルディスクアナライザ。
【請求項１０】
前記細胞計数ロジックコンポーネントは、前記複数のパルス列に対してパターン認識を行って細胞インスタンスを認識する請求項９に記載の光バイオロジカルディスクアナライザ。
【請求項１１】
前記コントローラは、
マイクロコントローラと、
イーサネット（登録商標）コントローラと、
プリンタポートコントローラと、
複数のメモリコンポーネントとをさらに備える請求項１０に記載の光バイオロジカルディスクアナライザ。
【請求項１２】
前記複数のメモリコンポーネントは、
前記細胞計数ロジックコンポーネントによってデジタルデータを格納するために使用されるＳＲＡＭコンポーネントを含む請求項１１に記載の光バイオロジカルディスクアナライザ。
【請求項１３】
前記コントローラは、
透過トリガコンポーネントと、
反射トリガコンポーネントと、
前記細胞計数ロジックコンポーネントにおいて行われる細胞計数処理中に、前記透過トリガコンポーネント又は前記反射トリガコンポーネントから受け取った信号を用いて前記細胞計数ロジックコンポーネント、前記インタフェース、及び制御ロジックを同期させるトリガロジックとをさらに備える請求項９に記載の光バイオロジカルディスクアナライザ。
【請求項１４】
前記透過トリガコンポーネントは、前記前置増幅器コンポーネントから信号を受け取る請求項１３に記載の光バイオロジカルディスクアナライザ。
【請求項１５】
前記反射トリガコンポーネントは、前記光バイオドライブ内に取り付けられるトリガ検出器から信号を受け取る請求項１３に記載の光バイオロジカルディスクアナライザ。
【請求項１６】
前記検出器は、上部検出器である請求項２に記載の光バイオロジカルディスクアナライザ。
【請求項１７】
前記上部検出器は、分割検出器である請求項１６に記載の光バイオロジカルディスクアナライザ。
【請求項１８】
前記分割検出器は、
長さ３１ｍｍ及び幅２．５ｍｍの２つの半径方向に長いセグメントと、
該２つの半径方向に長いセグメント間にある５０μｍの間隙とを備えた請求項１７に記載の光バイオロジカルディスクアナライザ。
【請求項１９】
前記分割検出器は、前記光バイオドライブ内の対物アセンブリ（objective assembly）の開口数よりも幅が広い請求項１７に記載の光バイオロジカルディスクアナライザ。
【請求項２０】
前記分割検出器は、前記光バイオドライブ内の対物アセンブリの開口数よりも幅が狭い請求項１７に記載の光バイオロジカルディスクアナライザ。
【請求項２１】
前記上部検出器は、複数のセグメントを備えた請求項１６に記載の光バイオロジカルディスクアナライザ。
【請求項２２】
前記上部検出器は、５つのセグメントを備えた請求項２１に記載の光バイオロジカルディスクアナライザ。
【請求項２３】
前記上部検出器は、３つのセグメントを備え、該セグメントは、
左側のセグメントと、
右側のセグメントと、
中央のセグメントとを含む請求項２１に記載の光バイオロジカルディスクアナライザ。
【請求項２４】
前記中央のセグメントは、前記光バイオドライブ内の対物アセンブリの開口数よりも幅が広い請求項２３に記載の光バイオロジカルディスクアナライザ。
【請求項２５】
前記中央のセグメントは、前記光バイオドライブ内の対物アセンブリの開口数よりも幅が狭い請求項２３に記載の光バイオロジカルディスクアナライザ。
【請求項２６】
前記中央のセグメントは、２つのセグメントをさらに含む請求項２３に記載の光バイオロジカルディスクアナライザ。
【請求項２７】
前記２つの中央のセグメントは、前記左側のセグメント及び前記右側のセグメントよりも小さい請求項２６に記載の光バイオロジカルディスクアナライザ。
【請求項２８】
前記２つの中央のセグメントは、前記光バイオドライブ内の対物アセンブリの開口数よりも幅が広い請求項２６に記載の光バイオロジカルディスクアナライザ。
【請求項２９】
前記２つの中央のセグメントは、前記光バイオドライブ内の対物アセンブリの開口数よりも幅が狭い請求項２６に記載の光バイオロジカルディスクアナライザ。
【請求項３０】
前記中央のセグメントは、３つのセグメントをさらに含む請求項２３に記載の光バイオロジカルディスクアナライザ。
【請求項３１】
前記３つの中央のセグメントは、前記左側のセグメント及び前記右側のセグメントよりも小さい請求項３０に記載の光バイオロジカルディスクアナライザ。
【請求項３２】
前記３つの中央のセグメントは、前記光バイオドライブ内の対物アセンブリの開口数よ
りも幅が広い請求項３０に記載の光バイオロジカルディスクアナライザ。
【請求項３３】
前記３つの中央のセグメントは、前記光バイオドライブ内の対物アセンブリの開口数よりも幅が狭い請求項３０に記載の光バイオロジカルディスクアナライザ。
【請求項３４】
前記上部検出器の前記セグメントは、半径方向に配列されている請求項２１に記載の光バイオロジカルディスクアナライザ。
【請求項３５】
前記上部検出器の前記セグメントは、接線方向に配列されている請求項２１に記載の光バイオロジカルディスクアナライザ。
【請求項３６】
前記上部検出器の前記セグメントは、対角線方向に配列されている請求項２１に記載の光バイオロジカルディスクアナライザ。
【請求項３７】
前記上部検出器は、
右側の長いサブセグメントと、
該右側の長いサブセグメントに接続されて右側のセグメントを形成する右側の短いサブセグメントと、
左側の長いサブセグメントと、
該左側の長いサブセグメントに接続されて左側のセグメントを形成する左側の短いサブセグメントとを備え、前記左側のセグメント及び前記右側のセグメントは、同じ長さとなる請求項１６に記載の光バイオロジカルディスクアナライザ。
【請求項３８】
前記上部検出器は、長さ約３０ｍｍである請求項３７に記載の光バイオロジカルディスクアナライザ。
【請求項３９】
前記右側の短いサブセグメント及び前記左側の短いサブセグメントは、同じ長さであり、長さ約１０ｍｍである請求項３７に記載の光バイオロジカルディスクアナライザ。
【請求項４０】
前記上部検出器は、正方形の象限検出器である請求項１６に記載の光バイオロジカルディスクアナライザ。
【請求項４１】
前記正方形の象限検出器は、入射ビームの焦点から半径方向のオフセットで配置される請求項４０に記載の光バイオロジカルディスクアナライザ。
【請求項４２】
前記正方形の象限検出器は、入射ビームの焦点から接線方向のオフセットで配置される請求項４０に記載の光バイオロジカルディスクアナライザ。
【請求項４３】
前記正方形の象限検出器は、入射ビームの焦点から対角線方向のオフセットで配置される請求項４０に記載の光バイオロジカルディスクアナライザ。
【請求項４４】
前記上部検出器は、該上部検出器に取り付けられて、臨界角よりも大きく偏向された入射ビームをフィルタリングするスロットをさらに備える請求項１６に記載の光バイオロジカルディスクアナライザ。
【請求項４５】
前記コントローラによって制御されるＩ／Ｏコントローラであって、
イーサネット（登録商標）ポートと、
プリンタポートと、
アナログデータ信号出力と、
デジタルデータ信号出力と、
トリガデータ信号出力とを備えるＩ／Ｏコントローラをさらに備える請求項１に記載の光バイオロジカルディスクアナライザ。
【請求項４６】
前記イーサネット（登録商標）ポートは、外部コンピュータが該光バイオロジカルディスクアナライザの動作を制御するとともに細胞計数結果を表示することを可能にする請求項４５に記載の光バイオロジカルディスクアナライザ。
【請求項４７】
前記フィールドプログラマブルゲートアレイは、ＶＨＤＬ言語でプログラムされる請求項１に記載の光バイオロジカルディスクアナライザ。
【請求項４８】
前記フィールドプログラマブルゲートアレイは、前記光バイオドライブによって読み出される光ディスクに書き込まれるプログラムによって再プログラムされることができる請求項１に記載の光バイオロジカルディスクアナライザ。
【請求項４９】
多セグメント型検出器を用いて複数の信号を検出するステップと、
前記複数の信号を複数のパルス列に変換するステップと、
前記複数のパルス列中の調査特徴物を示す信号データの存在を検出するために、計数プロセスを実施する状態機械を用いるステップとを含む、細胞を計数する方法。
【請求項５０】
前記多セグメント型検出器は、２つのセグメントを有する請求項４９に記載の細胞を計数する方法。
【請求項５１】
前記変換するステップは、
前記複数の信号の雑音を除去すること、
前記複数の信号を結果信号に合成すること、及び
前記結果信号を複数のパルス列に変換するために複数のしきい値を設定することをさらに含む請求項４９に記載の細胞を計数する方法。
【請求項５２】
前記合成するステップは、２つのセグメントからの信号の差をとることをさらに含む請求項５１に記載の細胞を計数する方法。
【請求項５３】
前記複数のしきい値は、正のしきい値及び負のしきい値を含む請求項５２に記載の細胞を計数する方法。
【請求項５４】
前記正のしきい値及び前記負のしきい値は、ユーザによって定義される請求項５３に記載の細胞を計数する方法。
【請求項５５】
前記状態機械における状態及び遷移は、ユーザによって定義される請求項５１に記載の細胞を計数する方法。
【請求項５６】
前記状態機械における前記状態及び前記遷移は、前記結果信号のピーク間電圧の高さ及びピーク間時間間隔の幅に基づいて特定のタイプの調査特徴物を検出するように調節することができる請求項５５に記載の細胞を計数する方法。
【請求項５７】
前記状態機械は、前記パルス列中のパルスの順序及び長さに基づいて調査特徴物を認識する請求項５５に記載の細胞を計数する方法。
【請求項５８】
前記パルス列は、正のパルス列及び負のパルス列を含む請求項５７に記載の細胞を計数する方法。
【請求項５９】
前記状態機械は、前記正のパルス列中の第１のパルスとそれに続く前記負のパルス列中の第２のパルスの順序に基づいて調査特徴物を認識する請求項５８に記載の細胞を計数する方法。
【請求項６０】
前記状態機械は、
第１の状態と、
第２の状態と、
第３の状態と、
第４の状態と、
前記第１のパルスの立ち上がりエッジが第１の事前に定義された時間期間内に到着する場合の前記第１の状態から前記第２の状態への第１の遷移と、
前記第１のパルスの立ち下がりエッジが第２の事前に定義された時間期間内に到着する場合の前記第２の状態から前記第３の状態への第２の遷移と、
前記第２のパルスの立ち上がりエッジが第３の事前に定義された時間期間内に到着する場合の前記第３の状態から前記第４の状態への第３の遷移と、
前記第２のパルスの立ち下がりエッジが第４の事前に定義された時間期間内に到着する場合の前記第４の状態から前記第１の状態への第４の遷移とを含み、それによって、調査特徴物が検出されたものとみなされる請求項５９に記載の細胞を計数する方法。
【請求項６１】
調査特徴物の重複計数を排除するために論理プロセスを用いるステップをさらに含む請求項４９に記載の細胞を計数する方法。
【請求項６２】
前記論理プロセスを用いるステップは、
前記状態機械によって生成される結果を時間相関行列に記録するステップと、
相関行列を定義するステップと、
前記時間相関行列を走査するために該相関行列を用いるステップとをさらに含み、
前記相関行列中の複数の検出インスタンスが調査特徴物の１つのインスタンスとして計数される、請求項６１に記載の細胞を計数する方法。
【請求項６３】
前記相関行列は、４×４のサイズである請求項６２に記載の細胞を計数する方法。
【請求項６４】
前記論理プロセスは、ユーザによって定義される請求項６１に記載の細胞を計数する方法。
【請求項６５】
調査特徴物の重複検出を防止するために前記多セグメント型検出器にスロットを取り付けるステップをさらに含む請求項４９に記載の細胞を計数する方法。
【請求項６６】
複数の調査特徴物を含む生物学的サンプルを光バイオディスク上に堆積させるステップと、
該光バイオディスクを光バイオロジカルディスクアナライザの光バイオドライブに挿入するステップと、
入射ビームを前記光バイオディスクのターゲットゾーンに誘導するステップと、
前記入射ビームが前記ターゲットゾーン内の前記調査特徴物と相互作用した後に前記光バイオロジカルディスクアナライザ内の検出器を用いて前記入射ビームを検出するステップと、
前記検出器から信号データを収集するステップと、
前記信号データを分析して調査特徴物のインスタンスを検出するために前記光バイオロジカルディスクアナライザを用いるステップとを含む、医学的分析を行う方法。
【請求項６７】
前記光バイオディスクは、反射ディスクである請求項６６に記載の医学的分析を行う方
法。
【請求項６８】
前記光バイオディスクは、透過ディスクである請求項６６に記載の医学的分析を行う方法。
【請求項６９】
前記光バイオディスクは、槽ディスクである請求項６６に記載の医学的分析を行う方法。
【請求項７０】
前記検出器は、下部４象限検出器である請求項６６に記載の医学的分析を行う方法。
【請求項７１】
前記検出器は、上部検出器である請求項６６に記載の医学的分析を行う方法。
【請求項７２】
前記上部検出器は、分割検出器である請求項７１に記載の医学的分析を行う方法。
【請求項７３】
前記分割検出器は、
長さ３１ｍｍ及び幅２．５ｍｍの２つの半径方向に長いセグメントと、
該２つの半径方向に長いセグメント間にある５０μｍの間隙とを備えた請求項７２に記載の医学的分析を行う方法。
【請求項７４】
前記分割検出器は、前記光バイオドライブ内の対物アセンブリの開口数よりも幅が広い請求項７２に記載の医学的分析を行う方法。
【請求項７５】
前記分割検出器は、前記光バイオドライブ内の対物アセンブリの開口数よりも幅が狭い請求項７２に記載の医学的分析を行う方法。
【請求項７６】
前記上部検出器は、複数のセグメントを備える請求項７１に記載の医学的分析を行う方法。
【請求項７７】
前記上部検出器は、５つのセグメントを備える請求項７１に記載の医学的分析を行う方法。
【請求項７８】
前記上部検出器は、３つのセグメントを備え、該セグメントは、
左側のセグメントと、
右側のセグメントと、
中央のセグメントとを含む請求項７６に記載の医学的分析を行う方法。
【請求項７９】
前記中央のセグメントは、前記光バイオドライブ内の対物アセンブリの開口数よりも幅が広い請求項７８に記載の医学的分析を行う方法。
【請求項８０】
前記中央のセグメントは、前記光バイオドライブ内の対物アセンブリの開口数よりも幅が狭い請求項７８に記載の医学的分析を行う方法。
【請求項８１】
前記中央のセグメントは、２つのセグメントをさらに含む請求項７８に記載の医学的分析を行う方法。
【請求項８２】
前記２つの中央のセグメントは、前記左側のセグメント及び前記右側のセグメントよりも小さい請求項８１に記載の医学的分析を行う方法。
【請求項８３】
前記２つの中央のセグメントは、前記光バイオドライブ内の対物アセンブリの開口数よりも幅が広い請求項８１に記載の医学的分析を行う方法。
【請求項８４】
前記２つの中央のセグメントは、前記光バイオドライブ内の対物アセンブリの開口数よりも幅が狭い請求項８１に記載の医学的分析を行う方法。
【請求項８５】
前記中央のセグメントは、３つのセグメントをさらに含む請求項７８に記載の医学的分析を行う方法。
【請求項８６】
前記３つの中央のセグメントは、前記左側のセグメント及び前記右側のセグメントよりも小さい請求項８５に記載の医学的分析を行う方法。
【請求項８７】
前記３つの中央のセグメントは、前記光バイオドライブ内の対物アセンブリの開口数よりも幅が広い請求項８５に記載の医学的分析を行う方法。
【請求項８８】
前記３つの中央のセグメントは、前記光バイオドライブ内の対物アセンブリの開口数よりも幅が狭い請求項８５に記載の医学的分析を行う方法。
【請求項８９】
前記上部検出器の前記セグメントは、半径方向に配列されている請求項７６に記載の医学的分析を行う方法。
【請求項９０】
前記上部検出器の前記セグメントは、接線方向に配列されている請求項７６に記載の医学的分析を行う方法。
【請求項９１】
前記上部検出器の前記セグメントは、対角線方向に配列されている請求項７６に記載の医学的分析を行う方法。
【請求項９２】
前記上部検出器は、
右側の長いサブセグメントと、
該右側の長いサブセグメントに接続されて右側のセグメントを形成する右側の短いサブセグメントと、
左側の長いサブセグメントと、
該左側の長いサブセグメントに接続されて左側のセグメントを形成する左側の短いサブセグメントとを備え、前記左側のセグメント及び前記右側のセグメントは、同じ長さとなる請求項７１に記載の医学的分析を行う方法。
【請求項９３】
前記上部検出器は、長さ約３０ｍｍである請求項９２に記載の医学的分析を行う方法。
【請求項９４】
前記右側の短いサブセグメント及び前記左側の短いサブセグメントは、同じ長さであり、長さ約１０ｍｍである請求項９２に記載の医学的分析を行う方法。
【請求項９５】
前記上部検出器は、正方形の象限検出器である請求項７１に記載の医学的分析を行う方法。
【請求項９６】
前記正方形の象限検出器は、前記入射ビームの焦点から半径方向のオフセットで配置される請求項９５に記載の医学的分析を行う方法。
【請求項９７】
前記正方形の象限検出器は、前記入射ビームの焦点から接線方向のオフセットで配置される請求項９５に記載の医学的分析を行う方法。
【請求項９８】
前記正方形の象限検出器は、前記入射ビームの焦点から対角線方向のオフセットで配置される請求項９５に記載の医学的分析を行う方法。
【請求項９９】
前記上部検出器は、該上部検出器に取り付けられて、臨界角よりも大きく偏向された入射ビームをフィルタリングするスロットをさらに備えた請求項７１に記載の医学的分析を行う方法。
【請求項１００】
前記光バイオロジカルディスクアナライザは、
光バイオドライブと、
前記光バイオロジカルディスクアナライザに内蔵され、前記光バイオドライブを制御するコントローラと、
該コントローラに内蔵されるフィールドプログラマブルゲートアレイとを備える請求項６６に記載の医学的分析を行う方法。
【請求項１０１】
前記コントローラは、
前置増幅器コンポーネントと、
チャネルセレクタと、
自動利得制御部と、
レベル検出器とをさらに備え、前記前置増幅器コンポーネントと、前記チャネルセレクタと、前記自動利得制御部と、前記レベル検出器とは、前記フィールドプログラマブルゲートアレイによって制御される請求項１００に記載の医学的分析を行う方法。
【請求項１０２】
前記前置増幅器コンポーネントは、前記検出器からのデータ信号を増幅する請求項１０１に記載の医学的分析を行う方法。
【請求項１０３】
前記チャネルセレクタは、前記前置増幅器コンポーネントからデータ信号を受け取り、該データ信号中の成分に対する複数の加減算操作に基づいて合成データ信号を生成する請求項１０２に記載の医学的分析を行う方法。
【請求項１０４】
前記自動利得制御部は、前記チャネルセレクタからの前記合成データ信号を該合成データ信号の強度に基づいて増幅し、それによって、様々な光ディスク及び光ドライブからのデータ信号を一致させることができる請求項１０３に記載の医学的分析を行う方法。
【請求項１０５】
前記レベル検出器は、複数のしきい値設定を用いて前記合成信号が該しきい値設定を超えた時を検出し、複数のパルス列を生成する請求項１０４に記載の医学的分析を行う方法。
【請求項１０６】
前記レベル検出器における前記しきい値設定は、再構成されることができる請求項１０５に記載の医学的分析を行う方法。
【請求項１０７】
前記フィールドプログラマブルゲートアレイは、
細胞計数ロジックコンポーネントと、
インタフェースおよび制御ロジックと、
前記光バイオドライブを制御するＩＤＥコントローラロジックとをさらに備える請求項１０６に記載の医学的分析を行う方法。
【請求項１０８】
前記細胞計数ロジックコンポーネントは、前記複数のパルス列に対してパターン認識を行って細胞インスタンスを認識する請求項１０７に記載の医学的分析を行う方法。
【請求項１０９】
前記コントローラは、
マイクロコントローラと、
イーサネット（登録商標）コントローラと、
プリンタポートコントローラと、
複数のメモリコンポーネントとをさらに備える請求項１０８に記載の医学的分析を行う方法。
【請求項１１０】
前記複数のメモリコンポーネントは、
前記細胞計数ロジックコンポーネントによってデジタルデータを格納するために使用されるＳＲＡＭコンポーネントを含む請求項１０９に記載の医学的分析を行う方法。
【請求項１１１】
前記コントローラは、
透過トリガコンポーネントと、
反射トリガコンポーネントと、
前記細胞計数ロジックコンポーネントにおいて行われる細胞計数処理中に、前記透過トリガコンポーネント又は前記反射トリガコンポーネントから受け取った信号を用いて前記細胞計数ロジックコンポーネント、前記インタフェース、及び制御ロジックを同期させるトリガロジックとをさらに備える請求項１０７に記載の医学的分析を行う方法。
【請求項１１２】
前記透過トリガコンポーネントは、前記前置増幅器コンポーネントから信号を受け取る請求項１１１に記載の医学的分析を行う方法。
【請求項１１３】
前記反射トリガコンポーネントは、前記光バイオドライブ内に取り付けられるトリガ検出器から信号を受け取る請求項１１１に記載の医学的分析を行う方法。
【請求項１１４】
前記光バイオロジカルディスクアナライザは、
前記コントローラによって制御されるＩ／Ｏコントローラであって、
イーサネット（登録商標）ポートと、
プリンタポートと、
アナログデータ信号出力と、
デジタルデータ信号出力と、
トリガデータ信号出力とを備えるＩ／Ｏコントローラをさらに備える請求項１００に記載の医学的分析を行う方法。
【請求項１１５】
前記イーサネット（登録商標）ポートは、外部コンピュータが該光バイオロジカルディスクアナライザの動作を制御するとともに細胞計数結果を表示することを可能にする請求項１１４に記載の医学的分析を行う方法。
【請求項１１６】
前記フィールドプログラマブルゲートアレイは、ＶＨＤＬ言語でプログラムされる請求項１００に記載の医学的分析を行う方法。
【請求項１１７】
前記フィールドプログラマブルゲートアレイは、前記光バイオドライブによって読み出される光ディスクに書き込まれるプログラムによって再プログラムされることができる請求項１００に記載の医学的分析を行う方法。
【手続補正２】
【補正対象書類名】明細書
【補正対象項目名】００７５
【補正方法】変更
【補正の内容】
【００７５】
検出器がディスクの背後にある場合（例えば、透過光を検出する上部検出器）、そのサイズおよび形状が信号に著しく影響を与える。ディスクの半径方向に長い（中心から縁部
までが）検出器の場合、画像は球対称でははくなり、図２９Ｂに示すような２つの「バナナ」形の暗い断片の形態をとる（“バイオドライブ用セグメント領域検出器とそれに関連する方法”というタイトルの関連米国特許仮出願＜２００１年１０月２４日出願、出願番号６０／３３５，１２３＞の付録Ｂ、「バイオコンパクトディスクの画像化（Imaging of
a Bio-Compact Disc）、パートＩ（pt l）」の章６．２も参照）。この理由は、半径方向に偏向したいかなる光も検出器に当たるためコントラストがつかない一方で、接線方向に偏向した光は検出器をそれるためより小さい信号を生ずるからである。図２９Ｂの検出画像の形状と図２９Ａの検出画像の形状とを比較されたい。図２９Ａは、細胞または球状物体がない正常なレーザービーム直径よりも小さい正方形の検出器から検出された画像である。
【手続補正３】
【補正対象書類名】明細書
【補正対象項目名】００９４
【補正方法】変更
【補正の内容】
【００９４】
検出器３０６は、この短い半径測定範囲を超えて高い周波数応答を提供するのに適している。その短いセグメントＡおよびＢは、特定の型の細胞の画像化に必要とされるＳ字曲線に適した信号Ａ−Ｂを生成する。この実施形態では、ＡおよびＢは約１０ｍｍである。一方、（Ａ＋Ｃ）＋（Ｂ＋Ｄ）の信号は、ディスクの全半径をカバーし、高い周波数応答を必要としなくてもよい他の検定に適している。長い検出器の長いセグメントは十分に高速である。最後に全てのセグメントを合算することにより、測色に適した信号が与えられる。
【手続補正４】
【補正対象書類名】明細書
【補正対象項目名】００９９
【補正方法】変更
【補正の内容】
【００９９】
＜非対称検出器＞
説明した検出器構成は、細胞、ビーズ、および他のレポーター粒子およびレポーター系を区別可能にすることを目的とする。細胞の画像化メカニズムは他の粒子とは非常に異なるため、光軸に対して検出器を非対称に設置するという効果によって、信号が区別可能になる。例えば、正方形の検出器が、検出器の長軸に垂直に（すなわち、ディスクの接線に沿って）移動する場合、信号は非対称となる。これは、“バイオドライブ用セグメント領域検出器とそれに関連する方法”というタイトルの関連米国特許仮出願＜２００１年１０月２４日出願、出願番号６０／３３５，１２３＞の付録Ｂ、「バイオコンパクトディスクの画像化（Imaging of a Bio-Compact Disc）、パートＩ」、章６．３において計算されている。この非対称パターンは、画像解析によって他の物体とは容易に区別される。全く同じ非対称パターンが、長い検出器による画像化から生じる。正方形の検出器を半径方向に移動しても非対称信号が生じるが、この場合に限り、対称軸は半径方向である。図４３Ａは、光軸が中心からはずれた検出器を示す。検出器は半径方向に配列される。対応する信号を図４３Ｂに示す。図４３Ｂのプロットは、非対称信号と対称信号との信号形状の差を示す。図４３Ｃは、形成することができる３つの異なるタイプの非対称を示す。半径方向のオフセット、接線方向のオフセット、および対角線方向のオフセットがある。図４３Ｄは、オフセットのない細胞の画像を示す。図４３Ｅは、３つの異なるタイプの非対称状態にある細胞の画像を示す。